(57)【要約】【課題】圧入装置１０のプレスピン８の抜き取り時におけるプレスピン８の破損を防止する。【解決手段】圧入装置１０は、保持治具２と装填治具５の重ね合わせ体を治具載置用ばね１２とピン外し用ばね１３の付勢力に抗しながら押圧して下方側に変位させることによって、装填治具５のチップ部品収納用凹部の底部に貫通形成された貫通孔に装填治具５の底面側からプレスピン８を挿通させてチップ部品収納用凹部内に収容されているチップ部品を装填治具５に対して相対的に押し上げて保持治具２のチップ部品保持用貫通孔内に圧入させていく。チップ部品の圧入が終了した後に、保持治具２と装填治具５の重ね合わせ体の押圧を解除すると、主にピン外し用ばね１３の付勢力によって前記重ね合わせ体がほぼ鉛直方向に押し上げられて前記重ね合わせ体からプレスピン８を円滑に抜き取ることができる。【選択図】        図２
2004209570.tif 000002
【特許請求の範囲】
【請求項１】
装填治具のチップ部品収納用凹部に収容されているチップ部品を保持治具のチップ部品保持用貫通孔に圧入するためのチップ部品の圧入装置において、この圧入装置は、装填治具のチップ部品収納用凹部と保持治具のチップ部品保持用貫通孔との位置を合わせて装填治具のチップ部品収納用凹部形成面上に保持治具が重ねて配置された状態で、装填治具のチップ部品収納用凹部の底部に貫通形成された貫通孔に装填治具の底面側からチップ部品押し上げ用ピンを挿通し、当該チップ部品押し上げ用ピンにより装填治具のチップ部品収納用凹部内のチップ部品を装填治具に対して相対的に押し上げてチップ部品を保持治具のチップ部品保持用貫通孔に圧入させる構成を有しており、当該圧入装置は、前記チップ部品押し上げ用ピンと、チップ部品押し上げ用ピンが立設されている基台と、この基台に下端側が固定されて起立状に配置され、その自由先端面が前記装填治具の下面を支持する治具載置用ばねと、この治具載置用ばねに載置された装填治具と保持治具の重ね合わせ体の上方側から当該重ね合わせ体を前記治具載置用ばねの付勢力に抗して押圧しながら前記重ね合わせ体を横方向に変位させて装填治具のチップ部品収納用凹部の底部の貫通孔にチップ部品押し上げ用ピンを挿通させて装填治具のチップ部品収納用凹部からチップ部品を相対的に押し上げて保持治具のチップ部品保持用貫通孔に圧入させる押圧機構と、押圧機構の押圧解除後に装填治具と保持治具の重ね合わせ体を付勢力によって押し上げて当該重ね合わせ体からチップ部品押し上げ用ピンを相対的に引き抜くピン外し用ばねとが設けられており、そのピン外し用ばねは、治具載置用ばねよりもばね定数が大きいことを特徴とするチップ部品の圧入装置。
【請求項２】
装填治具のチップ部品収納用凹部の底部には複数のピン挿通用貫通孔が互いに間隔を介して設けられており、それらピン挿通用貫通孔にそれぞれ対応させてチップ部品押し上げ用ピンが配置形成されており、チップ部品を複数のチップ部品押し上げ用ピンでもって装填治具に対して相対的に押し上げることを特徴とする請求項１記載のチップ部品の圧入装置。
【請求項３】
保持治具のチップ部品保持用貫通孔の内部周壁部は弾性部材により構成されており、１つのチップ部品に対応する複数のチップ部品押し上げ用ピン間の間隔は、その間隔方向の前記保持治具のチップ部品保持用貫通孔の幅よりも広いことを特徴とする請求項２記載のチップ部品の圧入装置。
【請求項４】
ピン外し用ばねと治具載置用ばねは、それぞれ、複数本ずつ設けられており、それらピン外し用ばねと治具載置用ばねは、それぞれ、チップ部品押し上げ用ピンの集合配置領域の周囲に互いに間隔を介して配設されていることを特徴とする請求項１又は請求項２又は請求項３記載のチップ部品の圧入装置。
【発明の詳細な説明】
【０００１】
【発明の属する技術分野】
本発明は、チップ部品を保持治具のチップ部品保持用貫通孔に圧入するための圧入装置に関するものである。
【０００２】
【背景技術】
例えば、図８（ａ）に示されるようなチップ部品１を図８（ｂ）に示されるような保持治具２に保持させてチップ部品１の上面１ａに電極を形成することがある。その保持治具２にはチップ部品保持用貫通孔３が設けられている。このチップ部品保持用貫通孔３の内部周壁部４は、例えばシリコンゴム等の弾性部材により構成されている。このような保持治具２のチップ部品保持用貫通孔３にチップ部品１は圧入され、当該チップ部品１はその上部部分を保持治具２の表面側に突き出した状態でチップ部品保持用貫通孔３の内部周壁部４の弾性力によって保持治具２に保持される。
【０００３】
以下に、保持治具２にチップ部品１を保持させるための工程例を図９を利用して簡単に説明する。なお、図９では、チップ部品１の保持治具２への挿入状態を断面により表している。
【０００４】
例えば、まず、図９（ａ）に示すような装填治具５のチップ部品収納用凹部６にチップ部品１を収納する。その装填治具５のチップ部品収納用凹部６は、保持治具２のチップ部品保持用貫通孔３の形成位置に応じた位置に形成されている。
【０００５】
次に、図９（ｂ）に示すように、その装填治具５の表面上に保持治具２を重ね合わせる。このとき、装填治具５のチップ部品収納用凹部６と、保持治具２のチップ部品保持用貫通孔３との位置を合わせる。その後、装填治具５の底面からチップ部品収納用凹部６の底面に貫通形成されている貫通孔７にプレスピン８を挿通する。
【０００６】
然る後に、プレスピン８によりチップ部品１を装填治具５に対して相対的に押し上げて保持治具２のチップ部品保持用貫通孔３に圧入させ、チップ部品１を連続的に押し上げて、図９（ｃ）に示されるように、チップ部品１の上部部分をチップ部品保持用貫通孔３から保持治具２の表面側に押し出す。このようにしてチップ部品１を保持治具２のチップ部品保持用貫通孔３内に圧入してチップ部品１を保持治具２に保持させる。
【０００７】
【特許文献１】
特開昭６２−２９１２８号公報
【０００８】
【発明が解決しようとする課題】
ところで、チップ部品１を１本のプレスピン８でもって装填治具５に対して相対的に押し上げていくと、チップ部品１の姿勢が不安定となって、例えば、チップ部品１が傾いた状態で保持治具２のチップ部品保持用貫通孔３に保持されることがあり、不都合が生じる。この問題を解決するために、例えば、図６に示されるように、１つのチップ部品１を複数のプレスピン８でもって装填治具５に対して相対的に押し上げていくようにして、チップ部品１の姿勢の安定性を図ることが考えられる。
【０００９】
しかしながら、この場合には、次に示すようなプレスピン８の破損の問題が生じる虞がある。つまり、図７（ａ）に示されるように、複数のプレスピン８間の間隔ｄが、その間隔方向の保持治具２のチップ部品保持用貫通孔３の幅Ｄよりも広い場合がある。この場合、チップ部品１の押し上げのために、それらプレスピン８が保持治具２のチップ部品保持用貫通孔３内に入り込むと、プレスピン８にはチップ部品保持用貫通孔３の内部周壁部４の弾性力に基づいた力が横方向から加えられる。このように、横方向からの力が加えられている状態で、プレスピン８を保持治具２と装填治具５の重ね合わせ体から抜き取ろうとすると、図７（ｂ）に示されるように、前記チップ部品保持用貫通孔３の内部周壁部４の弾性力に基づいた力によってプレスピン８の動きが規制されてプレスピン８をスムーズに抜き取ることができなかった。今までは、そのプレスピン８の抜き取り作業は手作業によって行われていたために、例えば、保持治具２と装填治具５の重ね合わせ体を横方向に揺すりながら、徐々にその重ね合わせ体を持ち上げていって、前記重ね合わせ体からプレスピン８を抜き取るという作業を行っていた。
【００１０】
しかしながら、そのような手作業によるプレスピン８の抜き取り作業では、プレスピン８に横方向の無理な力が加わって、プレスピン８が変形したり、折れてしまうというプレスピン８の破損が生じ易かった。
【００１１】
この発明は上記課題を解決するために成されたものであり、その目的は、チップ部品の圧入終了後のプレスピンの抜き取り作業を、プレスピンの破損を防止しながら容易に行うことができるチップ部品の圧入装置を提供することにある。
【００１２】
【課題を解決するための手段】
上記目的を達成するために、この発明は次に示す構成を持って前記課題を解決するための手段としている。すなわち、この発明は、装填治具のチップ部品収納用凹部に収容されているチップ部品を保持治具のチップ部品保持用貫通孔に圧入するためのチップ部品の圧入装置において、この圧入装置は、装填治具のチップ部品収納用凹部と保持治具のチップ部品保持用貫通孔との位置を合わせて装填治具のチップ部品収納用凹部形成面上に保持治具が重ねて配置された状態で、装填治具のチップ部品収納用凹部の底部に貫通形成された貫通孔に装填治具の底面側からチップ部品押し上げ用ピンを挿通し、当該チップ部品押し上げ用ピンにより装填治具のチップ部品収納用凹部内のチップ部品を装填治具に対して相対的に押し上げてチップ部品を保持治具のチップ部品保持用貫通孔に圧入させる構成を有しており、当該圧入装置は、前記チップ部品押し上げ用ピンと、チップ部品押し上げ用ピンが立設されている基台と、この基台に下端側が固定されて起立状に配置され、その自由先端面が前記装填治具の下面を支持する治具載置用ばねと、この治具載置用ばねに載置された装填治具と保持治具の重ね合わせ体の上方側から当該重ね合わせ体を前記治具載置用ばねの付勢力に抗して押圧しながら前記重ね合わせ体を横方向に変位させて装填治具のチップ部品収納用凹部の底部の貫通孔にチップ部品押し上げ用ピンを挿通させて装填治具のチップ部品収納用凹部からチップ部品を相対的に押し上げて保持治具のチップ部品保持用貫通孔に圧入させる押圧機構と、押圧機構の押圧解除後に装填治具と保持治具の重ね合わせ体を付勢力によって押し上げて当該重ね合わせ体からチップ部品押し上げ用ピンを相対的に引き抜くピン外し用ばねとが設けられており、そのピン外し用ばねは、治具載置用ばねよりもばね定数が大きいことを特徴としている。
【００１３】
【発明の実施の形態】
以下に、この発明に係る実施形態例を図面に基づいて説明する。
【００１４】
図１（ａ）には、この実施形態例のチップ部品の圧入装置の主要構成部分が模式的な側面図により示され、図１（ｂ）にはその部分の模式的な斜視図が示されている。
【００１５】
この実施形態例のチップ部品の圧入装置１０は、前記図９に示されるような装填治具５のチップ部品収納用凹部６に収容されているチップ部品１を保持治具２のチップ部品保持用貫通孔３に圧入するための装置である。この実施形態例の圧入装置１０は、図１に示されるように、チップ部品押し上げ用ピンであるプレスピン８と、このプレスピン８が立設されている基台１１と、基台１１に設けられている治具載置用ばね１２およびピン外し用ばね１３と、押圧機構（図示せず）とを有して構成されている。
【００１６】
なお、この実施形態例の圧入装置１０に適用できるチップ部品１は、図３に示されるように、その縦Ｌと横Ｗの寸法の差が大きく、また、その厚みＤが縦Ｌおよび横Ｗよりも小さいという寸法構成となっており、例えば、縦Ｌと横Ｗと厚みＤの長さの比は１対０．５対０．３５となっている。また、そのチップ部品１を保持する保持治具２のチップ部品保持用貫通孔３は、その内部周壁部４がシリコンゴム等の弾性部材により構成されており、図４に示されるような多角形状の開口形状を有し、互いに対向し合う内壁面でもってチップ部品１を両側から挟持して保持する構成と成している。
【００１７】
この実施形態例では、治具載置用ばね１２は、プレスピン８の集合領域を間隔を介して囲むように４カ所に点在配置されている。これら治具載置用ばね１２（１２ａ，１２ｂ，１２ｃ，１２ｄ）は、下端側が基台１１に固定されて起立状に配置され、先端側が自由端と成している。このような治具載置用ばね１２（１２ａ，１２ｂ，１２ｃ，１２ｄ）の自由先端側にはそれぞれ治具受け板１５が設けられており、その治具受け板１５の上面が装填治具５の下面を支持して、治具載置用ばね１２（１２ａ，１２ｂ，１２ｃ，１２ｄ）は、装填治具５をプレスピン８の上方側に配置する。
【００１８】
その装填治具５に形成されているチップ部品収納用凹部６の底部には複数のピン挿通用貫通孔７が設けられており（図７（ａ）参照）、それらピン挿通用貫通孔７にそれぞれ対応させてプレスピン８が基台１１に立設されている。これにより、この実施形態例の圧入装置１０では、１つのチップ部品１を複数のプレスピン８により装填治具５に対して相対的に押し上げて、保持治具２のチップ部品保持用貫通孔３に圧入させていく構成と成す。この実施形態例では、１つのチップ部品１に対する複数のプレスピン８間の間隔ｄ（図７（ａ）参照）は、その間隔方向の保持治具２のチップ部品保持用貫通孔３の幅Ｄよりも広くなっている。
【００１９】
ピン外し用ばね１３は、下端側が基台１１に固定され、先端側が自由端と成しており、ピン外し用ばね１３は、治具載置用ばね１２よりも大きなばね定数を有するものである。この実施形態例では、ピン外し用ばね１３は、治具載置用ばね１２（１２ａ，１２ｂ，１２ｃ，１２ｄ）が形成されている領域よりも図の左右両方の外側に複数本ずつ互いに間隔を介して点在配置されている。左側に配置されている複数本のピン外し用ばね１３の自由先端部には共通の治具押圧用板１６が設けられ、同様に、右側に配置されている複数本のピン外し用ばね１３の自由先端部にも、共通の治具押圧用板１６が設けられている。
【００２０】
以下に、この実施形態例の圧入装置１０を利用したチップ部品１の保持治具２への圧入工程の一例を図２を利用して説明する。
【００２１】
まず、圧入装置１０に装填治具５を載置するが、その前の準備として、装填治具５のチップ部品収納用凹部６にチップ部品１を収納する。チップ部品１を装填治具５のチップ部品収納用凹部６に収納する手法としては様々な手法がある。例えば、図５に示すような振り込み装置２０を利用したチップ部品１の装填治具５への収納手法がある。その振り込み装置２０は、装填治具５を載置する載置部２１と、この載置部２１を当該載置部２１の面上に垂直な方向に振動させる振動機構２２とを有して構成されている。この振り込み装置２０では、載置部２１上に装填治具５を配置し、また、載置部２１上のチップ部品収容部２３に複数のチップ部品１を収容させた状態で、載置部２１の上面を水平方向に対して傾けながら、振動機構２２により載置部２１を振動させる。これにより、装填治具５の面上に複数のチップ部品１が乗り、振動機構２２による振動によってチップ部品１が装填治具５の面上を滑り移動しているうちに、チップ部品１が装填治具５のチップ部品収納用凹部６に落とし込まれていく。このようにして、装填治具５のチップ部品収納用凹部６にチップ部品１を収納することができる。
【００２２】
また、装填治具５のチップ部品収納用凹部６にチップ部品１を収納する別の手法として、例えば、振り込み装置２０において、載置部２１の上面を水平方向に対して傾けながら、振動機構２２により載置部２１を振動させて、チップ部品１を、載置部２１に載置された装填治具５の面上を滑り移動させると共に、装填治具５の小孔（ピン挿通用貫通孔）７から吸引して、チップ部品１を装填治具５のチップ部品収納用凹部６に収納させるという手法もある。このように、装填治具５のチップ部品収納用凹部６にチップ部品１を収納させる手法には様々な手法があり、ここでは、何れの手法を採用してもよい。
【００２３】
このように、装填治具５のチップ部品収納用凹部６にチップ部品１を収納した後に、図２（ａ）に示されるように、その装填治具５のチップ部品収納用凹部６の底部に形成されているピン挿通用貫通孔７と、プレスピン８との位置を合わせて装填治具５を治具載置用ばね１２（１２ａ，１２ｂ，１２ｃ，１２ｄ）の治具受け板１５上に載置する。このとき、この工程の前工程において、装填治具５のチップ部品収納用凹部６と保持治具２のチップ部品保持用貫通孔３との位置を合わせて装填治具５の表面上に保持治具２を重ね合わせておいて、この装填治具５と保持治具２の重ね合わせ体を上記のように治具載置用ばね１２上に載置してもよいし、装填治具５を治具載置用ばね１２上に載置した後に、その装填治具５の上側に保持治具２を重ね合わせてもよい。
【００２４】
その後、図２（ｂ）に示されるように、保持治具２と装填治具５の重ね合わせ体の上面に押圧機構の押圧部材１７を当接し、この押圧部材１７からの押圧力によって、保持治具２と装填治具５の重ね合わせ体を治具載置用ばね１２の付勢力に抗しながら下方側に変位させる。
【００２５】
この装填治具５の下方側への変位によって装填治具５の底面がプレスピン８の先端位置に達したときに、前記装填治具５の載置工程で装填治具５のピン挿通用貫通孔７とプレスピン８との位置合わせが高精度に成されていれば、プレスピン８がスムーズに装填治具５のピン挿通用貫通孔７の内部に入り込んで、装填治具５の下方側への変位を継続することができる。しかし、装填治具５のピン挿通用貫通孔７およびプレスピン８は微細なものであることから、それらピン挿通用貫通孔７とプレスピン８を常に精度良く位置合わせすることは困難である。このため、装填治具５の底面がプレスピン８の先端位置に達したときに、ピン挿通用貫通孔７とプレスピン８の位置ずれのために、装填治具５の底面にプレスピン８の先端部が当接して装填治具５の変位が停止することがある。この場合、この実施形態例では、押圧部材１７によって保持治具２と装填治具５の重ね合わせ体を軽く押圧して装填治具５の底面にプレスピン８の先端部を当接させながら、保持治具２と装填治具５の重ね合わせ体を横方向に変位させる。これにより、プレスピン８の先端部をピン挿通用貫通孔７に入り込ませることができる。
【００２６】
プレスピン８をピン挿通用貫通孔７に入り込ませた後に、前記同様に押圧部材１７からの押圧力によって、図２（ｃ）に示されるように、保持治具２と装填治具５の重ね合わせ体を下方側に変位させる。これにより、装填治具５のチップ部品収納用凹部６内に収容されているチップ部品１がプレスピン８によって装填治具５に対して相対的に押し上げられ、保持治具２のチップ部品保持用貫通孔３内にチップ部品１が圧入される。この実施形態例では、前記したように、１つのチップ部品１を複数のプレスピン８によって装填治具５に対して相対的に押し上げていく（図７（ａ）参照）。
【００２７】
そして、そのチップ部品１の上部分が保持治具２の表面上に押し出されたところで、保持治具２と装填治具５の重ね合わせ体の下方側への変位を終了する。これにより、チップ部品１の上部分を保持治具２の表面側に突き出させた状態で保持治具２にチップ部品１を保持させることができる。
【００２８】
然る後に、押圧部材１７による保持治具２と装填治具５の重ね合わせ体の押圧を解除すると、図２（ｄ）に示されるように、ピン外し用ばね１３が、その付勢力によって、保持治具２と装填治具５の重ね合わせ体をほぼ鉛直方向に押し上げる。これにより、その重ね合わせ体からプレスピン８を相対的に引き抜くことができる。なお、このとき、治具載置用ばね１２の付勢力も保持治具２と装填治具５の重ね合わせ体の押し上げに寄与するが、この実施形態例では、主に、ばね定数が大きいピン外し用ばね１３の付勢力によって保持治具２と装填治具５の重ね合わせ体が押し上げられる。
【００２９】
以上のようにして、この実施形態例の圧入装置１０を利用したチップ部品１の保持治具２への圧入工程が行われる。
【００３０】
なお、この発明はこの実施形態例に限定されるものではなく、様々な実施の形態を採り得る。例えば、この実施形態例では、ピン外し用ばね１３は、治具載置用ばね１２よりも外側の領域に設けられていたが、例えば、治具載置用ばね１２とピン外し用ばね１３の配置位置が逆でもよい。また、治具載置用ばね１２とピン外し用ばね１３は、それぞれ、その設置数が限定されるものではなく、保持治具２と装填治具５の大きさや重量等を考慮した適宜な本数の治具載置用ばね１２やピン外し用ばね１３を設けてよいものである。
【００３１】
さらに、この実施形態例では、１つのチップ部品１を２本のプレスピン８でもって装填治具５から保持治具２に向けて押し上げる構成であったが、もちろん、１つのチップ部品１を１本のプレスピン８で押し上げる構成としてもよいし、１つのチップ部品１を３本以上のプレスピン８で押し上げる構成としてもよい。
【００３２】
さらに、この実施形態例では、チップ部品１の大きさの一例として、チップ部品１の縦Ｌと横Ｗと厚みＤの長さの比が１対０．５対０．３５である例を示したが、例えば、そのチップ部品１の縦Ｌと横Ｗと厚みＤの長さの比は１対０．５対０．４であってもよく、チップ部品１の縦Ｌと横Ｗと厚みＤの長さの比は実施形態例に示した寸法比に限定されるものではない。
【００３３】
さらに、この実施形態例では、直方体状のチップ部品を例にして説明したが、この発明のチップ部品の圧入装置は、例えば円柱状等の他の形状のチップ部品を保持治具に圧入させる場合にも適用することができるものである。そのような場合には、装填治具のチップ部品収納用凹部や、保持治具のチップ部品保持用貫通孔が、チップ部品の形状に適した形態に形成される。
【００３４】
さらに、この実施形態例では、保持治具２のチップ部品保持用貫通孔３の一例として、図４に示すような多角形状を例に挙げたが、このチップ部品保持用貫通孔３の開口形状は、その多角形状に限定されるものではなく、例えば、長方形状でもよいし、楕円形状であってもよい。
【００３５】
【発明の効果】
この発明によれば、治具載置用ばねと、この治具載置用ばねよりもばね定数が大きいピン外し用ばねとの２種類のばねを設けた。ピン外し用ばねは、押圧機構による装填治具と保持治具の重ね合わせ体の押圧を解除した後に、その重ね合わせ体を付勢力によって押し上げて当該重ね合わせ体からチップ部品押し上げ用ピンを相対的に引き抜く機能を持つものである。このため、作業者の手作業により前記重ね合わせ体からチップ部品押し上げ用ピンを抜き取る必要が無くなって、製造工程の簡略化を図ることができるし、製造効率を向上させることができる。
【００３６】
また、手作業によって、チップ部品押し上げ用ピンの抜き取り作業を行う場合には、前記重ね合わせ体からチップ部品押し上げ用ピンをスムーズに抜き取ることができないために、例えば、前記重ね合わせ体を横方向に揺すりながらチップ部品押し上げ用ピンを抜いていくことがある。この場合には、チップ部品押し上げ用ピンに横方向の無理な力が加えられてチップ部品押し上げ用ピンが変形してしまったり、折れてしまって、チップ部品押し上げ用ピンの破損が生じることがあった。これに対して、この発明では、手作業ではなく、ピン外し用ばねによって、前記重ね合わせ体をほぼ鉛直方向に押し上げてチップ部品押し上げ用ピンを相対的に引き抜くことができるので、手作業に起因したチップ部品押し上げ用ピンの破損を防止することができる。
【００３７】
１つのチップ部品を複数のチップ部品押し上げ用ピンによって装填治具に対して相対的に押し上げる構成のものにあっては、チップ部品の姿勢の傾きを防止しながら、安定した姿勢でもってチップ部品を保持治具のチップ部品保持用貫通孔に圧入させていくことができる。
【００３８】
また、１つのチップ部品に対応する複数のチップ部品押し上げ用ピン間の間隔が、その間隔方向の保持治具のチップ部品保持用貫通孔の幅よりも広いものにあっては、複数のチップ部品押し上げ用ピンによってチップ部品を保持治具のチップ部品保持用貫通孔内に圧入したときに、それらチップ部品押し上げ用ピンには横方向から、保持治具のチップ部品保持用貫通孔の内部周壁部の弾性部材による力を受ける。このため、チップ部品保持用貫通孔からチップ部品押し上げ用ピンを引き抜き難く、手作業によってチップ部品押し上げ用ピンの引き抜きを行うと、チップ部品押し上げ用ピンの破損を招き易かった。これに対して、この発明の圧入装置では、そのような場合でも、スムーズに、チップ部品保持用貫通孔からチップ部品押し上げ用ピンを引き抜くことができるので、非常に有効である。
【００３９】
複数のピン外し用ばねが点在配置されているものにあっては、押圧機構による装填治具と保持治具の重ね合わせ体の押圧が解除された後に、その重ね合わせ体の傾きを防止しながら、重ね合わせ体を押し上げることが容易となり、チップ部品押し上げ用ピンの抜き取り工程において、より確実にチップ部品押し上げ用ピンの破損を抑制することができる。
【図面の簡単な説明】
【図１】本発明に係るチップ部品の圧入装置の一実施形態例を説明するための図である。
【図２】図１に示すチップ部品の圧入装置を利用したチップ部品の保持治具への圧入工程の一例を説明するための図である。
【図３】チップ部品の一例を示したモデル図である。
【図４】保持治具のチップ部品保持用貫通孔の一形態例を説明するための図である。
【図５】チップ部品を装填治具のチップ部品収納用凹部に収納するための装置の一例を示すモデル図である。
【図６】チップ部品を複数のプレスピンで押し上げる場合の状態例を模式的に示した図である。
【図７】複数のプレスピンでチップ部品を押し上げて保持治具のチップ部品保持用貫通孔内に圧入する場合の問題点を説明するための図である。
【図８】チップ部品と、当該チップ部品を保持する保持治具との形態例を示すモデル図である。
【図９】チップ部品を保持治具のチップ部品保持用貫通孔に圧入する一工程例を説明するための図である。
【符号の説明】
１  チップ部品
２  保持治具
３  チップ部品保持用貫通孔
５  装填治具
６  チップ部品収納用凹部
７  ピン挿通用貫通孔
８  プレスピン
１０  圧入装置
１１  基台
１２  治具載置用ばね
１３  ピン外し用ばね
【図１】
2004209570.tif 000003
【図２】
2004209570.tif 000004
【図３】
2004209570.tif 000005
【図４】
2004209570.tif 000006
【図５】
2004209570.tif 000007
【図６】
2004209570.tif 000008
【図７】
2004209570.tif 000009
【図８】
2004209570.tif 000010
【図９】
2004209570.tif 000011